(57)【要約】【課題】均一な着圧分布で良好なフィット感を確保するとともに、身体の動きに対して突っ張り感やだぶつき感が生じることなく、着用時の美観を向上させることができる上半身用衣類を提供する。【解決手段】前身頃２、後身頃３、及び袖部４を備え、前後身頃の肩線同士が接合されるとともに前後身頃の袖刳りに袖部の袖山が接合されている上半身用衣類であって、前身頃パターンの首先Ｐ３から肩先Ｐ２に到る肩線が水平線から下方へ１５°〜４０°の範囲の平均傾斜角度θＡに設定され、後身頃パターンの首先Ｐ３から肩先Ｐ２に到る肩線が水平線から下方へ５°〜２５°の範囲の平均傾斜角度θＢに設定され、前身頃パターンの平均傾斜角度θＡが後身頃パターンの平均傾斜角度θＢより５°〜２０°大きく設定され、各パターンに従って裁断された前後身頃の肩線同士が接合されている。【選択図】図２
2015030933.tif 000002
【特許請求の範囲】
【請求項１】
前身頃、後身頃、及び袖部を備え、前後身頃の肩線同士が接合されるとともに前後身頃の袖刳りに袖部の袖山が接合されている上半身用衣類であって、
前身頃パターンの首先から肩先に到る肩線が水平線から下方へ１５°〜４０°の範囲の平均傾斜角度θＡに設定され、
後身頃パターンの首先から肩先に到る肩線が水平線から下方へ５°〜２５°の範囲の平均傾斜角度θＢに設定され、
前身頃パターンの平均傾斜角度θＡが後身頃パターンの平均傾斜角度θＢより５°〜２０°大きく設定され、
各パターンに従って裁断された前後身頃の肩線同士が接合されている上半身用衣類。
【請求項２】
後身頃パターンの袖刳り最下点から肩先に到る後袖刳りのうち、脇中心線との水平距離が最大となる最大後袖刳り点が、
袖刳り最下点から肩先に到る後中心線上での高さＨｂの５％〜２５％の範囲に位置するとともに、
脇中心線から後中心線に到る身幅Ｗｂの１５％〜２５％の範囲に位置するように設定され、
後袖刳りの曲率が最大となる最大曲率点が、最大後袖刳り点から袖刳り最下点迄の間に位置するように設定されている請求項１記載の上半身用衣類。
【請求項３】
後袖刳りの最大曲率点の曲率が１／１４ｍｍ−１〜１／１５５ｍｍ−１の範囲に設定されている請求項２記載の上半身用衣類。
【請求項４】
前身頃パターンの袖刳り最下点から肩先に到る前袖刳りのうち、脇中心線との水平距離が最大となる最大前袖刳り点が、
袖刳り最下点から肩先に到る前中心線上での高さＨｆの５％〜２５％の範囲に位置するとともに、
脇中心線から前中心線に到る身幅Ｗｆの７％〜２０％の範囲に位置するように設定され、
袖刳りの曲率が最大となる最大曲率点が、最大前袖刳り点から袖刳り最下点迄の間に位置するように設定されている請求項２または３に記載の上半身用衣類。
【請求項５】
前袖刳りの最大曲率点の曲率が１／１４ｍｍ−１〜１／１５５ｍｍ−１の範囲に設定されている請求項４記載の上半身用衣類。
【請求項６】
袖部パターンの後袖の袖付け線が、袖山の頂点から袖縫い部にかけて凸状の曲線に形成され、前袖の袖付け線は袖山の頂点から袖縫い部にかけて一定高さの直線部を経由して凹状の曲線に形成され、
直線部と凹状の曲線の境界が前後身頃の肩線に位置するように袖付けされている請求項２から５の何れかに記載の上半身用衣類。
【発明の詳細な説明】
【技術分野】
【０００１】
本発明は、肌着等の上半身用衣類に関する。
【背景技術】
【０００２】
一般に、既製衣類のサイズは日本工業規格で規定されており、成人男子衣料のサイズはJIS L4004で規定され、成人女子用衣料のサイズはJIS L4005で規定されている。当該規格によれば、男女ともに「範囲表示」という表示態様がサイズの表示に用いられる。
【０００３】
成人男子用の上半身用衣類の「範囲表示」は、チェストで規定される基本身体寸法に従ってＭサイズ、Ｌサイズ等に区分されている。例えば、チェスト８８〜９６ｃｍはＭサイズに対応し、チェスト９６〜１０４ｃｍはＬサイズに対応する。Ｍサイズの中心値は、チェスト９２ｃｍであり、Ｌサイズの中心値は、チェスト１００ｃｍである。
【０００４】
このような既製衣類は、各サイズの中心値に対して予め定められた数値範囲内の体形の人が快適に着用できるように設定された基準パターンに基づいて生地が裁断され、裁断された生地片が縫着されて製品化されている。
【０００５】
特に、肌に直接触れる肌着等は、身体を捻ったり屈めたり、或いは肩を回したりといった日常生活での様々な動作を行なう際に、その動きを妨げないように伸縮性を備えたフライス編等のヨコ編地でその身生地が構成されることが多く、バルーン式の着圧計等で計測される首先、肩先、胸部及び背部の左右各四点の着圧が負荷を感じることが無い所定値、具体的に４ｈＰａ以下に収まるように、その基準パターンが設定されていた。
【０００６】
図７（ａ），（ｂ）には、そのような従来の基準パターンが示されている。腕の上げ下ろし動作や肩の回転動作が容易に行なえるように、袖刳り最下点Ｐ１から肩先Ｐ２までの距離が長く設定されるとともに、腕の前方への旋回時に腕の付け根の背中側が引きつらないように、後身頃３の袖刳りＡＨｂが前身頃２の袖刳りＡＨｆに比べて少なくなるように設定され、さらに、袖部４の基準パターンは、最大袖山高さ４Ｂが比較的短く、袖付け線４Ａが左右対称の凸状の曲線に形成され、袖下領域４Ｃに十分な生地量が配されていた。
【０００７】
また、特許文献１には、腕を下げたときの生地のだぶつきをなくすとともに、腕を上げたときの引きつれ現象及び身頃の裾のずれ上がりを緩和することを目的とした袖付き衣類が提案されている。
【０００８】
当該袖付き衣類は、両側脇部に袖刳りが形成された身頃生地と、この身頃生地の左右両側の袖刳りに根本側が接合される袖生地とを備え、袖刳りの上端の形成位置が基準パターンの袖刳りの上端の形成位置と同等位置に形成されるとともに、袖刳りの下端の形成位置が基準パターンの袖刳りの下端の形成位置よりも上側に上げるように構成され、袖刳りの周長が基準パターンの袖刳りの周長と等しくなるように袖刳りの輪郭形状又は曲率を、基準パターンの袖刳りの輪郭形状又は曲率から変化させるように構成されている。
【先行技術文献】
【特許文献】
【０００９】
【特許文献１】特開２０１１−１７９１４８号公報
【発明の概要】
【発明が解決しようとする課題】
【００１０】
しかし、従来の基準パターンに基づいて裁断、縫製された上半身用衣類は、上述したように、バルーン式の着圧計等で計測された着圧が上述の所定値以下に収まるようにその基準パターンが設定されていたのであるが、身体の一部に対して計測された着圧しか考慮されておらず、現実には所定値を大きく上回る着圧を示す部位が存在することが判明した。
【００１１】
図４（ｂ）には、近年開発されたコンピュータシミュレーション装置（例えば、株式会社島精機製作所のSDN-ONE APEX3）を用いて、身生地の編地特性及び従来の基準パターンと着用者を模擬する剛体マネキンの体型等の入力情報に基づく身体の各部の着圧分布のシミュレーション結果が示されている。
【００１２】
当該シミュレーション結果によれば、従来の基準パターンに基づいて裁断され、縫製された上半身用衣類は、首先で１０ｈＰａ前後になる領域が存在し、また肩先で６〜８ｈＰａになる領域が存在する等、バルーン式の着圧計等で計測される生身の身体に対して負荷を感じることが無いとされた所定の着圧（４ｈＰａ）に対応する着圧を大きく上回る領域の存在が確認された。
【００１３】
そこで、図７（ａ）に示すように、従来、袖刳り最下点Ｐ１から肩先Ｐ２に到る後中心線上での高さＨｂが高く（長く）且つ刳り量が少なく設定され、最大後袖刳り点Ｐｂ１が高さＨｂの中程に位置するように設定されるとともに、袖刳り最下点Ｐ１から肩先Ｐ２に到る前中心線上での高さＨｆが高く(長く)且つ刳り量が少なく設定され、最大前袖刳り点Ｐｆ１が高さＨｈの中程に位置するように設定されていた。つまり腕の付け根の周長よりも十分に長い、ゆったりとした袖刳りに構成されていた。
【００１４】
そして、腕を真横から前方に旋回させたときに、後身頃の身生地が引っ張られて袖刳りに突っ張り感が生じることがないように、後袖刳りの刳り量は少なく設定されていた。
【００１５】
その結果、腕を下げたときに身生地が脇下でだぶつき、皺よりが発生して着心地が低下し、また美観が低下するという問題があった。上述した特許文献に記載された構成も、袖刳りに突っ張り感が生じないように、基本的にゆったりとした大きな袖刳りが維持されていたので、さらなる改良の余地があった。
【００１６】
また、一般に、外衣を着用している状態で、皮膚と肌着の間の温度が３２℃程度で湿度が５０％程度に保持されているときに、人は快適に感じると言われているように、肌着は、汗を吸い取って調温、調湿するとともに、皮脂や体表面から剥離した表皮細胞を吸収して肌を清潔に保つ機能が求められる。
【００１７】
そのため、肌面と身生地の接触状態を良好に保つ必要があるが、従来の肌着は身体の動き、特に腕回り動きの円滑さを重視していたため、袖刳りを大きくする等、必ずしも身体への良好なフィット感を目指した構成ではなかった。逆に、身体へのフィット感をあげるために袖刳りを小さくすると、腕を下げた状態で、大胸筋や広背筋が収縮するのみならず三角筋や上腕筋さらには皮下脂肪が腋下近傍で密接するため、袖刳り部に突っ張り感が生じる虞があった。
【００１８】
本発明の目的は、上述の問題点に鑑み、均一な着圧分布で良好なフィット感を確保するとともに、身体の動きに対して突っ張り感やだぶつき感が生じることなく、着用時の美観を向上させることができる上半身用衣類を提供する点にある。
【課題を解決するための手段】
【００１９】
上述の目的を達成するため、本発明による上半身用衣類の第一の特徴構成は、特許請求の範囲の書類の請求項１に記載した通り、前身頃、後身頃、及び袖部を備え、前後身頃の肩線同士が接合されるとともに前後身頃の袖刳りに袖部の袖山が接合されている上半身用衣類であって、前身頃パターンの首先から肩先に到る肩線が水平線から下方へ１５°〜４０°の範囲の平均傾斜角度θＡに設定され、後身頃パターンの首先から肩先に到る肩線が水平線から下方へ５°〜２５°の範囲の平均傾斜角度θＢに設定され、前身頃パターンの平均傾斜角度θＡが後身頃パターンの平均傾斜角度θＢより５°〜２０°大きく設定され、各パターンに従って裁断された前後身頃の肩線同士が接合されている点にある。
【００２０】
図４（ｂ）左図に示すように、従来、着用状態で肩接ぎ７の首先側が上部僧帽筋のほぼ頂部に位置するとともに肩先側が肩峰の頂部から後側に位置するように、つまり首先から体側部に向けて肩接ぎ７が真横に延びるように設定されていたため、肩接ぎ７に沿った領域に前後身頃２，３の生地の荷重が掛かるような構成であった。通常、身生地を構成する編地は身幅方向に伸長するようにそのコース方向が配置され、ウェール方向である着丈方向には伸長することがなかったため、肩接ぎに沿う領域に荷重が集中して、特に肩先及び首先の領域で着圧が高くなる傾向にあった。つまり、前身頃パターンの平均傾斜角度が後身頃パターンの平均傾斜角度より僅かに小さいか或いはほぼ同じ角度に設定されていた。
【００２１】
しかし、図４（ａ）左図に示すように、上述の構成によれば、着用状態で肩接ぎ７の首先側が上部僧帽筋のほぼ頂部に位置するとともに、肩先側が肩峰のほぼ頂部または頂部からやや前側に位置するように、つまり首先から体側部に向けて真横に延びる従来の肩接ぎ７よりも、肩先が身体の前面側に位置するように傾斜した肩接ぎ７となるので、身頃部２，３の荷重が肩接ぎ７から肩甲骨より上側の上部僧帽筋で覆われる肩部（図中、ハッチングで示す領域）で面状に分散して受けられるようになり、局部的に着圧が大きくなることが回避できるようになる。尚、図中、肩部に示される破線は、従来の肩接ぎの位置である。
【００２２】
また、身生地にフライス編地を採用する場合、前後身頃を構成する編地のウェール方向が、肩接ぎである程度の角度を持って交差するように接合されるので、前または後の何れか一方の身頃で着丈方向に発生した張力は、肩接ぎを介して他方の身頃の編地のウェール方向に対して交差するバイアス方向に作用して他方の身頃がある程度伸長する結果、負荷が肩接ぎに沿う領域に荷重が集中することなく効果的に分散され、肌面と密着性が高い場合でも局部的に着圧が高くなるようなことが無い。
【００２３】
同第二の特徴構成は、同請求項２に記載した通り、上述の第一の特徴構成に加えて、後身頃パターンの袖刳り最下点から肩先に到る後袖刳りのうち、脇中心線との水平距離が最大となる最大後袖刳り点が、袖刳り最下点から肩先に到る後中心線上での高さＨｂの５％〜２５％の範囲に位置するとともに、脇中心線から後中心線に到る身幅Ｗｂの１５％〜２５％の範囲に位置するように設定され、後袖刳りの曲率が最大となる最大曲率点が、最大後袖刳り点から袖刳り最下点迄の間に位置するように設定されている点にある。
【００２４】
上述の構成によれば、最大後袖刳り点を袖刳り最下点に近づけるとともに後中心線に近づけ、最大後袖刳り点から袖刳り最下点迄の間に最大曲率点を位置させることで、従来とは反対に刳り量を多くして袖部との接合部を後中心側に逃がし、腕を下げたときに脇下に集まる筋肉や皮下脂肪の影響による突っ張り感を解消しながらも、袖刳り長さを短くすることができる。その結果、脇下にだぶつきが生じないスタイリッシュな形状を実現することができ、さらに身体への身生地のフィット感を上げ、肌に直接触れる肌着として使用する場には肌着としての本質的な調温、調湿及び衛生保持機能を向上させることができるようになった。
【００２５】
同第三の特徴構成は、同請求項３に記載した通り、上述の第二の特徴構成に加えて、後袖刳りの最大曲率点の曲率が１／１４ｍｍ−１〜１／１５５ｍｍ−１の範囲に設定されている点にある。
【００２６】
後袖刳りの最大曲率点の曲率をこの範囲に設定することにより、袖刳りの最下点近傍で後中心線側により多く刳ることができ、身生地を腋部に良好に添わせたスタイリッシュな形状を実現することができるようになる。
【００２７】
同第四の特徴構成は、同請求項４に記載した通り、上述の第二または第三の特徴構成に加えて、前身頃パターンの袖刳り最下点から肩先に到る前袖刳りのうち、脇中心線との水平距離が最大となる最大前袖刳り点が、袖刳り最下点から肩先に到る前中心線上での高さＨｆの５％〜２５％の範囲に位置するとともに、脇中心線から前中心線に到る身幅Ｗｆの７％〜２０％の範囲に位置するように設定され、袖刳りの曲率が最大となる最大曲率点が、最大前袖刳り点から袖刳り最下点迄の間に位置するように設定されている点にある。
【００２８】
第二の特徴構成の説明と同様に、上述の構成によれば、最大前袖刳り点を袖刳り最下点に近づけるとともに前中心線に近づけ、最大前袖刳り点から袖刳り最下点迄の間に最大曲率点を位置させることで、袖刳り長さを短くすることができる。その結果、脇下にだぶつきが生じないスタイリッシュな形状を実現することができ、さらに身体への身生地のフィット感を上げ、肌に直接触れる肌着として使用する場には肌着としての本質的な調温、調湿及び衛生保持機能を向上させることができるようになった。
【００２９】
同第五の特徴構成は、同請求項５に記載した通り、上述の第四の特徴構成に加えて、前袖刳りの最大曲率点の曲率が１／１４ｍｍ−１〜１／１５５ｍｍ−１の範囲に設定されている点にある。
【００３０】
第三の特徴構成の説明と同様に、前袖刳りの最大曲率点の曲率をこの範囲に設定することにより、袖刳りの最下点近傍で前中心線側に大きく刳ることができ、身生地を腋部に良好に添わせたスタイリッシュな形状を実現することができるようになる。
【００３１】
同第六の特徴構成は、同請求項６に記載した通り、上述の第二から第五の何れかの特徴構成に加えて、袖部パターンの後袖の袖付け線が、袖山の頂点から袖縫い部にかけて凸状の曲線に形成され、前袖の袖付け線は袖山の頂点から袖縫い部にかけて一定高さの直線部を経由して凹状の曲線に形成され、直線部と凹状の曲線の境界が前後身頃の肩線に位置するように袖付けされている点にある。
【００３２】
上述の構成によれば、着用状態を上から視て袖山線が前後身頃の肩接ぎよりも背面側に位置し、そこから袖部が身体の前方側に傾斜する姿勢で袖付けされるようになる。その結果、袖縫い部が脇中心よりも前側に位置し、腕を下げた状態で袖縫い部を腋から前側に逃がすことができ、袖縫い部が上腕に沿うように袖刳りを小さくしても、突っ張り感を与えることがなくなる。
【００３３】
しかも、身生地として汎用されるフライス編地等は、生地の伸長方向つまりコース方向が袖幅方向に設定されているので、脇下から袖口に到る線が生地の伸長方向と斜めに交差するようになり、腕を上げる際にバイアス方向の生地伸びの影響で突っ張り感を解消できるようになる。さらに、大きくした後身頃の袖刳りに対応して、後袖の袖付け線が袖山の頂点から袖縫い部にかけて凸状の曲線に形成されているので、後袖付け部に十分な生地量が確保でき、腕を前方に旋回させても突っ張ることがなくなる。
【発明の効果】
【００３４】
以上説明した通り、本発明によれば、均一な着圧分布で良好なフィット感を確保するとともに、身体の動きに対して突っ張り感やだぶつき感が生じることなく、着用時の美観を向上させることができる上半身用衣類を提供することができるようになった。
【図面の簡単な説明】
【００３５】
【図１】（ａ）は本発明による上半身衣類の正面図、（ｂ）は同背面、（ｃ）は同着用状態の説明図
【図２】（ａ）は本発明による上半身衣類のパターンの説明図、（ｂ）は同袖部パターンの説明図
【図３】本発明による上半身衣類の裁断及び縫製の説明図
【図４】（ａ）は本発明による上半身衣類の着用時の着圧シミュレーション結果の説明図、（ｂ）は従来の上半身衣類の着用時の着圧シミュレーション結果の説明図
【図５】（ａ）から（ｃ）は本発明による上半身衣類の袖付け態様の説明図
【図６】（ａ）は従来の上半身衣類と本発明による上半身用衣類の正面視による相違点の説明図、（ｂ）は同肩接ぎ及び袖付けの相違点の説明図
【図７】（ａ）は従来の上半身衣類のパターンの説明図、（ｂ）は同袖部パターンの説明図
【発明を実施するための形態】
【００３６】
以下、本発明が適用された上半身用衣類を、肌着を例に説明する。
図１（ａ），（ｂ）には、正面視及び背面視の肌着１が示されている。当該肌着１は、前身頃２、後身頃３、及び袖部４を備え、前後身頃２，３の肩線同士が接合されるとともに前後身頃２，３の袖刳りＡＨ（ＡＨｆ，ＡＨｂ）に袖部４の袖山が接合されている。
【００３７】
図２（ａ）には、当該肌着１の前身頃２及び後身頃３の半身のパターンが示され、図２（ｂ）には袖部４のパターンが示されている。図中、一点鎖線は縫着線である。前身頃２のパターンの首先Ｐ３から肩先Ｐ２に到る肩線ＳＬｆが、首先Ｐ３を基準に水平線から下方へ１５°〜４０°の範囲の平均傾斜角度θＡ、好ましくは１５°〜３５°の範囲、さらに好ましくは２０°〜３０°の範囲の平均傾斜角度θＡに設定され、後身頃３のパターンの首先Ｐ３から肩先Ｐ２に到る肩線ＳＬｂが、首先Ｐ３を基準に水平線から下方へ５°〜２５°の範囲の平均傾斜角度θＢ、好ましくは５°〜２０°の範囲、さらに好ましくは５°〜１５°の範囲の平均傾斜角度θＢに設定され、前身頃パターンの平均傾斜角度θＡが後身頃パターンの平均傾斜角度θＢより５°〜２０°の範囲で大きくなるように設定されている。
【００３８】
前後身頃２，３のパターンは、肩接ぎ７が首先Ｐ３から肩先Ｐ２にかけて着用者の肩に滑らかにフィットするように、何れも直線ではなく首先Ｐ３から肩先Ｐ２にかけて下方に凹んだ滑らかな曲線に形成されている。そのため、本発明の平均傾斜角度とは、前後身頃２，３それぞれのパターンの首先Ｐ３から肩先Ｐ２までを結ぶ直線と水平線とのなす角度をいう。
【００３９】
また、後身頃３のパターンの袖刳り最下点Ｐ１から肩先Ｐ２に到る後袖刳りＡＨｂのうち、脇中心線との水平距離が最大となる最大後袖刳り点Ｐｂ１が、袖刳り最下点Ｐ１から肩先に到る後中心線上での高さＨｂの５％〜２５％の範囲Ｄに位置するとともに、脇中心線から後中心線に到る身幅Ｗｂの１５％〜２５％の範囲Ｅに位置するように設定され、後袖刳りＡＨｂの曲率が最大となる最大曲率点が、最大後袖刳り点Ｐｂ１から袖刳り最下点Ｐ１迄の間に位置するように設定されている。
【００４０】
さらに、前身頃２のパターンの袖刳り最下点Ｐ１から肩先Ｐ２に到る前袖刳りＡＨｆのうち、脇中心線との水平距離が最大となる最大前袖刳り点Ｐｆ１が、袖刳り最下点Ｐ１から肩先Ｐ２に到る前中心線上での高さＨｆの５％〜２５％の範囲Ｇに位置するとともに、脇中心線から前中心線に到る身幅Ｗｆの７％〜２０％の範囲Ｈに位置するように設定され、袖刳りの曲率が最大となる最大曲率点が、最大前袖刳り点Ｐｆ１から袖刳り最下点Ｐ１迄の間に位置するように設定されている。
【００４１】
袖部４のパターンは、後袖部４ｂの袖付け線４Ａｂが袖山の頂点Ｐ４から袖縫い部４１にかけて凸状の滑らかな曲線に形成され、前袖部４ｆの袖付け線４Ａｆは袖山の頂点Ｐ４から袖縫い部４１にかけて一定高さの直線部４Ｌを経由して滑らかな凹状の曲線に形成されている。従って、前袖部４ｆの袖下４Ｃｆに比べて後袖部４ｂの袖下４Ｃｂには十分な生地量が配されている。
【００４２】
袖部４のパターンに沿って裁断された生地片は、折返し線４０Ｌで内側に折り返され、その端部が縫着されて袖口４０が形成され、左右の袖縫い部４１同士が縫着されて筒状の袖部４となり、袖付け線４Ａｆ，４Ａｂで前後身頃２，３に形成される袖刳りＡＨｆ，ＡＨｂに縫着される。ここに、袖部４は、直線部４Ｌと凹状の曲線の境界Ｐ５が前後身頃２，３の肩線、つまり肩接ぎに位置するように袖付けされる。その結果、袖縫い部４１が脇中心よりも前身頃２側に偏っている（図１（ｃ），図３参照）。
【００４３】
図３に示すように、当該肌着１は、丸編機で編成された筒状の生地Ｔを用いて製造することができる。具体的に、先ず、フライス編またはスムース編の長尺の筒状生地Ｔが所要の着丈Ｌ１を確保可能な長さで裁断されるとともに、筒状体の上部が袖刳りＡＨｆ，ＡＨｂ、肩線ＳＬｆ，ＳＬｂ、及び襟刳りＮＨｆ，ＮＨｂとなる部位で裁断される。
【００４４】
次に、肩線ＳＬｆ，ＳＬｂ同士が縫着されて肩接ぎとなり、袖刳りＡＨｆ，ＡＨｂに袖部４が縫着され、さらに襟刳りＮＨｆ，ＮＨｂに丸襟が縫着され、裾部が折り返されて縫着される。つまり、当該肌着１は、脇縫い部の無い筒状体で構成されている。
【００４５】
尚、本発明による肌着は、脇縫い部の無い筒状体生地で構成される態様に限定されることはなく、前身頃２と後身頃３をそれぞれ脇部で縫着するように構成された態様も含まれることはいうまでもない。また、本発明による肌着を構成する身生地はフライス編またはスムース編に限定されるものでもなく、他の任意のヨコ編地やタテ編地を用いて構成することも可能である。
【００４６】
図６（ａ），（ｂ）には、図７で説明した従来の基準パターンによって製造された従来の肌着１００と、図２で説明した本発明による肌着１とを同じサイズ区分で対比した状態が示されている。
【００４７】
本発明による肌着１は従来の肌着１００と比べて、着丈Ｌ１及び身幅Ｌ２が僅かに短く、襟刳りが僅かに大きく構成されている。また、袖丈はほぼ同じであるが、袖幅は僅かに短く構成されている。
【００４８】
首先Ｐ３から袖口４０にかけた傾斜角度が従来の肌着１００よりも大きく、着用者の首先から肩により沿いやすい形状である点、肩接ぎ７が首先Ｐ３から真横に延びる従来の肌着１００より僅かに前身頃３側に傾斜して延びている点、袖刳り長さが従来の肌着１００より短く、袖縫い部４１（袖下）が脇中心に位置している従来の肌着１００より前身頃２側に位置している点、袖部４のパターンが前袖部と後袖部で対称であった従来の肌着１００に対して、前袖部の袖下に比べて後袖部の袖下に十分な生地量が配されるように非対称形状に構成され、しかも袖縫い部４１（袖下）が脇中心より前身頃２側に位置するように袖付けされているため、身頃に対して袖部４が身体の前方側に傾斜する姿勢で袖付けされている点で、本発明による肌着１は従来の肌着１００と大きく異なる。
【００４９】
従来の肌着１００は、首先Ｐ３から体側部に向けて肩接ぎ７が真横に延びるように設定されていたため、肩接ぎ７に沿った領域に前後身頃の荷重が掛かり、肩接ぎ７に沿う領域に荷重が集中して、特に肩先及び首先の領域で着圧が高くなる傾向にあった。これは、図４（ｂ）で説明した通りである。
【００５０】
図４（ａ）に示すように、本発明による肌着１は、首先から体側部に向けて真横に延びる従来の肩接ぎ７よりも、肩先Ｐ２が身体の前側に位置するように傾斜した肩接ぎ７となるので、身頃部の荷重が肩接ぎから肩甲骨より上側の上部僧帽筋で覆われる肩部（図４（ａ）の左図でハッチングされた領域）で面状に分散して受けられるようになり、局部的に着圧が大きくなることが回避できるようになる。
【００５１】
図４（ａ）の右図には、コンピュータシミュレーション装置（株式会社島精機製作所のSDN-ONE APEX3）を用いて、このような肌着１のパターン及び編地特性と着用者の体型等の入力情報に基づく身体の各部の着圧分布のシミュレーション結果が示されている。図２で説明したパターンの各部位における数値範囲に対してシミュレーションした結果、首先で１０ｈＰａ前後になる領域や肩先で６〜８ｈＰａになる領域が存在した従来の肌着１００に比べて（図４（ｂ）右図参照）、何れの数値範囲に対しても、首先から肩先にかけた全ての領域で、バルーン式の着圧計等で計測される生身の身体に対して負荷を感じることが無いとされる所定の着圧（４ｈＰａ）に対応する着圧に近い着圧分布が得られることが確認された。
【００５２】
つまり、肩接ぎ７が首先Ｐ３から真横に延びるのではなく、僅かに前身頃３側に傾斜して延びるように、前身頃パターンの首先から肩先に到る肩線が水平線から下方への平均傾斜角度θＡが設定され、後身頃パターンの首先から肩先に到る肩線が水平線から下方への平均傾斜角度θＢより大きく設定されていればよい。
【００５３】
身生地にフライス編地を採用する場合、前後身頃を構成する編地のウェール方向が肩線である程度の角度で交差するように接合されるので、前または後の何れか一方の身頃で着丈方向に発生した張力は、肩接ぎ７を介して他方の身頃の編地のウェール方向に対して交差するバイアス方向に作用する。そのため、他方の身頃のコース方向にある程度伸長するようになり、負荷が肩接ぎ７に沿う領域に集中することなく分散され、肌面と密着性が高い場合でも局部的に着圧が高くなるようなことが無い。
【００５４】
また、前後身頃２，３のパターンは、何れも首先Ｐ３から肩先Ｐ２にかけて下方に凹んだ滑らかな曲線に形成されているため、胸部の厚みを覆うことになる首先では生地量が十分に確保でき、厚みが薄くなる腕の付け根にかけて次第に生地量が減少するので生地余りによる浮きが発生することがない。その結果、肩接ぎ７が首先から肩先にかけて着用者の肩に滑らかにフィットするようになる。
【００５５】
図２を参照して説明したように、当該肌着１は、最大後袖刳り点Ｐｂ１を袖刳り最下点Ｐ１に近づけるとともに後中心線に近づけ、最大後袖刳り点Ｐｂ１から袖刳り最下点Ｐ１迄の間に最大曲率点を位置させることで、従来とは反対に刳り量を多くして袖部４との接合部を後中心側に逃がし、腕を下げたときに脇下に集まる筋肉や皮下脂肪の影響による突っ張り感を解消しながらも、袖刳り長さを短くすることができる。
【００５６】
同様に、最大前袖刳り点Ｐｆ１を袖刳り最下点Ｐ１に近づけるとともに前中心線に近づけ、最大前袖刳り点Ｐｆ１から袖刳り最下点Ｐ１迄の間に最大曲率点を位置させることで、腕の付け根に突っ張り感を感じさせることなく袖刳り長さを短くすることができる。
【００５７】
その結果、脇下にだぶつきが生じないスタイリッシュな形状を実現することができ、さらに身体への身生地のフィット感を上げ、肌に直接触れる肌着としての本質的な調温、調湿及び衛生保持機能を向上させることができるようになった。
【００５８】
上述した後袖刳り及び前袖刳りの最大曲率点の曲率κ（κ＝１／Ｒ・ｍｍ−１（Ｒは曲率半径））は、１／１４ｍｍ−１〜１／１５５ｍｍ−１の範囲に設定されていることが好ましく、１／２０ｍｍ−１〜１／１３５ｍｍ−１の範囲に設定されていることがさらに好ましい。袖刳りの最下点Ｐ１近傍で前後の中心線側により多く刳ることで腕の付け根の丸みに好適に対応でき、身生地を腋部に良好に添わせたスタイリッシュな形状を実現することができるようになる。
【００５９】
また、袖部パターンの後袖の袖付け線４Ａｂが、袖山の頂点Ｐ４から袖縫い部４１にかけて凸状の曲線に形成され、前袖の袖付け線４Ａｆは袖山の頂点Ｐ４から袖縫い部４１にかけて一定高さの直線部４Ｌを経由して凹状の曲線に形成され、直線部と凹状の曲線の境界が前後身頃の肩接ぎに位置するように袖付けされているので、袖縫い部４１が脇中心よりも２ｃｍ〜３ｃｍ程度、前身頃側に位置し、腕を下げた状態で袖縫い部４１を腋から前側に逃がすことができ、袖縫い部４１が上腕に沿うように袖刳りを小さくしても、突っ張り感を与えることがなくなる。
【００６０】
図５（ａ）から（ｃ）に示すように、身生地として汎用されるフライス編地等は、生地の伸長方向つまりコース方向（図中、矢付の破線で示されている）が袖幅方向に設定され、伸長しないウェール方向（図中、矢付の一点鎖線で示されている）が袖丈方向に設定されているので、脇下から袖口４０に到る方向（図中、矢付の実線で示されている）が生地の伸長方向であるコース方向と斜めに交差するようになり、腕を上げる際にバイアス方向の生地伸びを利用することができ、突っ張り感を解消できるようになる。さらに、大きくした後身頃の袖刳りに対応して、後袖の袖付け線が袖山の頂点から袖縫い部にかけて凸状の曲線に形成されているので（図２（ｂ）参照）、後袖付け部に十分な生地量が確保でき、腕を前方に旋回させても突っ張ることがなくなる。
【００６１】
上述した実施形態では特にサイズを例示していないが、本発明による肌着は、成人男子のＬサイズ、Ｍサイズ、Ｓサイズ、ＬＬサイズ等、各サイズに適用することが可能なことは言うまでもない。
【００６２】
上述した実施形態では本発明を丸首半袖の肌着に適用した例を説明したが、七部袖や長袖の肌着にも適用可能であることはいうまでもない。また、丸首以外にＵ首、Ｖ首等のデザインを採用することも可能である。また、前身頃が左右に分かれた前開の肌着にも適用可能である。
【００６３】
生地（編地）を構成する糸種は単糸または双糸の綿糸が好ましく、季節に応じてその番手を適宜変更することが可能である。綿以外に、麻や絹等の天然繊維、ポリエステル糸等の合繊糸等を用いてもよい。
【００６４】
上述した実施形態では肌着を例に本発明を説明したが、本発明による上半身用衣類は肌着に限らずスポーツシャツ等のアウターウェア等にも適用することができることはいうまでもない。
【産業上の利用可能性】
【００６５】
本発明は、均一な着圧分布で良好なフィット感を確保するとともに、身体の動きに対して突っ張り感やだぶつき感が生じることなく、着用時の美観を向上させることができる上半身用衣類に好適に使用できる。
【符号の説明】
【００６６】
１：上半身用衣類（肌着）
２：前身頃
３：後身頃
４：袖部
７：肩接ぎ
Ｐ１：袖刳り最下点
Ｐ２：肩先
Ｐ３：首先
θＡ：前身頃の肩線の平均傾斜角度
θＢ：後身頃の肩線の平均傾斜角度
Ｐｂ１：最大後袖刳り点
Ｐｆ１：最大前袖刳り点
【図１】
2015030933.tif 000003
【図２】
2015030933.tif 000004
【図３】
2015030933.tif 000005
【図６】
2015030933.tif 000006
【図７】
2015030933.tif 000007
【図４】
2015030933.tif 000008
【図５】
2015030933.tif 000009